(57)【要約】【課題】暗所における車両用ドアの開閉動状況の視認性を向上させることができるドアウエザーストリップ構造を提供すること。【解決手段】蓄光材を添加した熱可塑性樹脂からなる発光部４４をドアアウターウエザーストリップ２７のリップ部４３の車幅方向外側の壁面に形成させると共に、蓄光材を添加した熱可塑性樹脂からなる発光部５３をドアインナーウエザーストリップ３２の嵌合部５１とシール部５２との連結部近傍に形成させるようにした。【選択図】図３
2007210541.tif 000002
【特許請求の範囲】
【請求項１】
蓄光材を添加した熱可塑性樹脂を用いて車体とドアとの間に介装されるドアウエザーストリップを形成させる
ことを特徴とするドアウエザーストリップ構造。
【請求項２】
請求項１に記載のドアウエザーストリップ構造において、
前記ドアウエザーストリップは前記ドアの外周に設けられるドアアウターウエザーストリップであって、
前記ドアアウターウエザーストリップは、
前記ドアの外周に取り付けられる取付部と、
前記取付部に一体で中空状に形成されると共に、前記ドアの閉扉時に前記車体との間をシールするシール部と、
前記取付部に一体に形成されると共に、前記シール部よりも車幅方向外側に設けられるリップ部とを備え、
前記蓄光材は前記リップ部の少なくとも車幅方向外側の壁面に添加される
ことを特徴とするドアウエザーストリップ構造。
【請求項３】
請求項２に記載のドアウエザーストリップ構造において、
前記蓄光材は前記ドアのドアサッシュの角部近傍に添加される
ことを特徴とするドアウエザーストリップ構造。
【請求項４】
請求項１に記載のドアウエザーストリップ構造において、
前記ドアウエザーストリップは前記車体に開口されるドア開口部の縁部に設けられるドアインナーウエザーストリップであって、
前記ドアインナーウエザーストリップは、
前記ドア開口部の縁部に嵌合される嵌合部と、
前記嵌合部に一体で中空状に形成されると共に、前記ドアの閉扉時に前記ドアとの間をシールするシール部とを備え、
前記蓄光材は前記嵌合部と前記シール部との連結部近傍に添加される
ことを特徴とするドアウエザーストリップ構造。
【請求項５】
請求項４に記載のドアウエザーストリップ構造において、
前記蓄光材は前記ドア開口部側の前記連結部近傍に添加され、
前記シール部の中空形状は前記ドア開口部から離れる方向に偏位して形成される
ことを特徴とするドアウエザーストリップ構造。
【発明の詳細な説明】
【技術分野】
【０００１】
本発明は、ドアウエザーストリップ構造に関する。
【背景技術】
【０００２】
従来の車両用ドア構造では、特に、ルームランプを点灯させずに暗所（夜間や暗闇）での乗員による開扉時または閉扉時において、乗員が車体やドアに接触して受傷するというおそれがあった。これにより、近年の車両用ドア構造には、暗所におけるドアの開閉動状況の視認性を向上させた技術が採用されている。この車両用ドア構造では、例えば、ドアの車両後方側の端部に、反射板、ランプ、蓄光材等の発光源を設けることにより、暗所におけるドアの開閉動状況を、乗員だけでなく車両の周囲の人にも視認させるようにしたものが提供されている。
【０００３】
このような、従来の車両用ドア構造は、例えば、特許文献１に開示されている。
【０００４】
【特許文献１】特開２００２−２６４６５１号公報
【発明の開示】
【発明が解決しようとする課題】
【０００５】
しかしながら、従来の車両用ドア構造では、ドアの車体後方側の端部のみ発光源が設けられており、視認性が十分であるとはいえなかった。つまり、暗所においてドアの開閉動作を行う場合、乗員はドア側においてはドアサッシュの車両後方側角部に接触する一方、車体側においてはドア開口部の上縁に接触することが多いので、従来のようにドアの車両後方側の端部に発光源を設けた構造では、乗員と車両との接触を防ぐことができないおそれがある。
【０００６】
しかも、従来の車両用ドア構造のように反射板やランプ等を設ける場合には、ドア自体の構造が複雑になるばかりでなく、重量及びコストの増加を招くおそれがある。また、蓄光材を使用した場合には、ドアはその多くの時間を閉扉状態とされているので、蓄光材への太陽光や電灯等からの光エネルギーを十分に吸収・蓄積することが困難であり、発光性能を低下させるおそれがある。
【０００７】
即ち、上述した従来の構造の問題点から考えると、暗所におけるドアの開閉動状況の視認性の向上を図る場合には、他部品を追加するのではなく、既存の部品を利用することが得策であると考えられる。また、近年、暗所での視認性確保の１つの手段として蓄光材を用いたものが種々提供されているが、蓄光材を使用する場合には、光エネルギーの吸収・蓄積を考慮した位置に設けることが望ましいと考えられる。そこで、本発明は、一般的な車両に設けられ、且つ車体とドアとの間をシールするドアウエザーストリップに着目し、このドアウエザーストリップの材料に蓄光材を添加するようにした。
【０００８】
従って、本願発明は上記課題を解決するものであって、暗所における車両用ドアの開閉動状況の視認性を向上させることができるドアウエザーストリップ構造を提供することを目的とする。
【課題を解決するための手段】
【０００９】
上記課題を解決する第１の発明に係るドアウエザーストリップ構造は、
蓄光材を添加した熱可塑性樹脂を用いて車体とドアとの間に介装されるドアウエザーストリップを形成させる
ことを特徴とする。
【００１０】
上記課題を解決する第２の発明に係るドアウエザーストリップ構造は、
第１の発明に係るドアウエザーストリップ構造において、
前記ドアウエザーストリップは前記ドアの外周に設けられるドアアウターウエザーストリップであって、
前記ドアアウターウエザーストリップは、
前記ドアの外周に取り付けられる取付部と、
前記取付部に一体で中空状に形成されると共に、前記ドアの閉扉時に前記車体との間をシールするシール部と、
前記取付部に一体に形成されると共に、前記シール部よりも車幅方向外側に設けられるリップ部とを備え、
前記蓄光材は前記リップ部の少なくとも車幅方向外側の壁面に添加される
ことを特徴とする。
【００１１】
上記課題を解決する第３の発明に係るドアウエザーストリップ構造は、
第２の発明に係るドアウエザーストリップ構造において、
前記蓄光材は前記ドアのドアサッシュの角部近傍に添加される
ことを特徴とする。
【００１２】
上記課題を解決する第４の発明に係るドアウエザーストリップ構造は、
第１の発明に係るドアウエザーストリップ構造において、
前記ドアウエザーストリップは前記車体に開口されるドア開口部の縁部に設けられるドアインナーウエザーストリップであって、
前記ドアインナーウエザーストリップは、
前記ドア開口部の縁部に嵌合される嵌合部と、
前記嵌合部に一体で中空状に形成されると共に、前記ドアの閉扉時に前記ドアとの間をシールするシール部とを備え、
前記蓄光材は前記嵌合部と前記シール部との連結部近傍に添加される
ことを特徴とする。
【００１３】
上記課題を解決する第５の発明に係るドアウエザーストリップ構造は、
第４の発明に係るドアウエザーストリップ構造において、
前記蓄光材は前記ドア開口部側の前記連結部近傍に添加され、
前記シール部の中空形状は前記ドア開口部から離れる方向に偏位して形成される
ことを特徴とする。
【発明の効果】
【００１４】
第１の発明に係るドアウエザーストリップ構造によれば、蓄光材を添加した熱可塑性樹脂を用いて車体とドアとの間に介装されるドアウエザーストリップを形成させることにより、暗所における前記ドアの開閉動状況の視認性を向上させることができる。
【００１５】
第２の発明に係るドアウエザーストリップ構造によれば、第１の発明に係るドアウエザーストリップ構造において、前記ドアウエザーストリップは前記ドアの外周に設けられるドアアウターウエザーストリップであって、前記ドアアウターウエザーストリップは、前記ドアの外周に取り付けられる取付部と、前記取付部に一体で中空状に形成されると共に、前記ドアの閉扉時に前記車体との間をシールするシール部と、前記取付部に一体に形成されると共に、前記シール部よりも車幅方向外側に設けられるリップ部とを備え、前記蓄光材を前記リップ部の少なくとも車幅方向外側の壁面に添加することにより、シール性を低下させることなく、容易に光エネルギーを吸収・蓄積することができる。
【００１６】
第３の発明に係るドアウエザーストリップ構造によれば、第２の発明に係るドアウエザーストリップ構造において、前記蓄光材を前記ドアのドアサッシュの角部近傍に添加することにより、前記ドアサッシュの先端位置を乗員に明らかにさせることができるので、乗員への危害を防止することができる。
【００１７】
第４の発明に係るドアウエザーストリップ構造によれば、第１の発明に係るドアウエザーストリップ構造において、前記ドアウエザーストリップは前記車体に開口されるドア開口部の縁部に設けられるドアインナーウエザーストリップであって、前記ドアインナーウエザーストリップは、前記ドア開口部の縁部に嵌合される嵌合部と、前記嵌合部に一体で中空状に形成されると共に、前記ドアの閉扉時に前記ドアとの間をシールするシール部とを備え、前記蓄光材を前記嵌合部と前記シール部との連結部近傍に添加することにより、シール性を低下させることなく、光エネルギーを吸収・蓄積することができる。
【００１８】
第５の発明に係るドアウエザーストリップ構造によれば、第４の発明に係るドアウエザーストリップ構造において、前記蓄光材を前記ドア開口部側の前記連結部近傍に添加し、前記シール部の中空形状を前記ドア開口部から離れる方向に偏位して形成させることにより、前記ドアの閉扉時において前記シール部は前記連結部とは逆方向に倒れ込むので、前記蓄光材に光が照射され易くなり、光エネルギーを十分に吸収・蓄積することができると共に、発光による運転中の乗員への影響を抑えることができる。
【発明を実施するための最良の形態】
【００１９】
以下、本発明に係るドアウエザーストリップ構造について詳細に説明する。図１は本発明の一実施例に係るドアウエザーストリップ構造を備えた車両の斜視図、図２はドアサッシュの車両後方側角部の拡大図、図３は図１のＡ−Ａ矢視断面図である。なお、図１に示す２点鎖線はドアの閉扉状態を示しており、図３に示す２点鎖線はドアの閉扉時における各部位の変形の様子を示している。
【００２０】
図１，２に示すように、車体１１には助手席側のドア１２が設けられており、ドア１２は、その車両前方側の端部が車体１１に開口されるドア開口部３１にヒンジ結合されることにより、車体１１に対して車両後方側の端部が外方に回動するように開閉可能に支持されている。
【００２１】
ドア１２は、ドア本体２１と、ドア本体２１の上部において枠状に形成されるドアサッシュ２２とから構成されている。このドアサッシュ２２は、上端から下端に向けて下方に傾斜する前枠部２３と、略鉛直方向に延設する後枠部２４と、前枠部２３の上端と後枠部２４の上端とを連結する上枠部２５とから構成されている。そして、この枠部２３，２４，２５から形成される開口部には、ドア本体２１内部との間で昇降可能に支持されるドアガラス２６が設けられている。
【００２２】
ドア１２の外周全域にはドアアウターウエザーストリップ２７が配設されている。このドアアウターウエザーストリップ２７は、後枠部２４と上枠部２５とからなる角部外側に設けられると共に上辺部と縦辺部とからなるＬ字形の角部ウエザーストリップ２８と、該角部を除いた部分に設けられる枠状ウエザーストリップ２９とから構成されている。
【００２３】
そして、詳細は後述するが、角部ウエザーストリップ２８はソリッド材の熱可塑性樹脂を用いて射出成形した後、蓄光材を添加した同様のソリット材の熱可塑性樹脂を用いて部分的に２層になると共に、その長手方向において略同一の横断面が連続的に形成するように射出成形したものである。一方、枠状ウエザーストリップ２９はスポンジ材の熱可塑性樹脂を用いて連続的に押出成形したものである。つまり、枠状ウエザーストリップ２９は、その長手方向において略同一の横断面を連続的に有しており、この横断面は角部ウエザーストリップ２８の横断面と略同一となっている。
【００２４】
従って、ドアアウターウエザーストリップ２７は、スポンジ材の熱可塑性樹脂を用いて連続的に押出成形し、この押出成形品を所定の長さに切断して枠状ウエザーストリップ２９を形成させた後、この枠状ウエザーストリップ２９の両端の間に、ソリット材の熱可塑性樹脂及び蓄光材を添加した同様のソリット材の熱可塑性樹脂を用いて２層射出成形した角部ウエザーストリップ２８を挟持して接続させることにより形成されるものである。
【００２５】
また、ドア開口部３１の縁部全周にはドアインナーウエザーストリップ３２が配設されている。そして、詳細は後述するが、ドアインナーウエザーストリップ３２は、ソリット材の熱可塑性樹脂、蓄光材を添加した同様のソリット材の熱可塑性樹脂及びスポンジ材の熱可塑性樹脂を用いて連続的に３重押出成形したものである。つまり、ドアインナーウエザーストリップ３２は、その長手方向において略同一の横断面を連続的に有している。
【００２６】
次に、ドアアウターウエザーストリップ２７及びドアインナーウエザーストリップ３２の構成について詳細に説明する。なお、上述したように、ドアアウターウエザーストリップ２７及びドアインナーウエザーストリップ３２は、それぞれの長手方向において略同一の横断面を有しているので、図３に示すように、ドアサッシュ２２の車両後方側の角部近傍（後枠部２４と上枠部２５とからなる角部近傍）における各横断面について説明する。
【００２７】
図３に示すように、ドアアウターウエザーストリップ２７の角部ウエザーストリップ２８はドアサッシュ２２の上枠部２５の上部に取り付けられており、上枠部２５の下部にはシール部材３０を介してドアガラス２６が配置されている。
【００２８】
角部ウエザーストリップ２８は、上枠部２５の縁部２５ａに取り付けられる取付部４１と、取付部４１に一体に形成されるシール部４２及びリップ部４３と、リップ部４３に一体に形成される発光部４４とを備えている。シール部４２は中空状に形成されており、ドア１２の閉扉時において車体１１を構成するルーフパネル３３の側壁との間をシールするものである。リップ部４３はシール部材４２よりも外側に設けられており、ドア１２の閉扉時においてルーフパネル３３と当接することにより、シール部４２がルーフパネル３３に接触するシール部分を覆うものである。発光部４４はリップ部４３の外側壁面に形成されており、図２に示すように、角部ウエザーストリップ２８の上辺部において所定の長さで延設されている。
【００２９】
そして、取付部４１、シール部４２及びリップ部４３はソリット材の熱可塑性樹脂で形成される一方、発光部４４は蓄光材を添加した同様のソリット材の熱可塑性樹脂で形成されている。つまり、角部ウエザーストリップ２８は、ソリット材の熱可塑性樹脂を用いて射出成形して取付部４１、シール部４２及びリップ部４３を形成させた後、蓄光材を添加した同様のソリット材の熱可塑性樹脂を用いて射出成形して発光部４４を形成させることにより製造されるものである。
【００３０】
なお、図示はしていないが、枠状ウエザーストリップ２９も、角部ウエザーストリップ２８と同様に、取付部、シール部及びリップ部を備えており、スポンジ材の熱可塑性樹脂を用いて連続的に押出成形して該各部位を形成させることにより製造されるものである。
【００３１】
一方、ドアインナーウエザーストリップ３２は、ドア開口部３１の縁部を形成するルーフパネル３３に取り付けられている。ドアインナーウエザーストラップ３２は、ルーフパネル３３のフランジ部３３ａと嵌合する嵌合部５１と、嵌合部５１に一体に形成されるシール部５２と、嵌合部５１とシール部５２との下方側の連結部に形成される発光部５３とを備えている。
【００３２】
嵌合部５１は、横断面がＵ字形をなす本体５４と、本体５４の基端に一体に形成されるリップ部５５とから構成されている。本体５４の内側にはフランジ３３ａを保持するフランジ保持リップ５６が形成されており、本体５４の内部には芯金５７が埋設されている。シール部５２は、ドア１２の閉扉時において上枠部２５の内壁との間をシールするものであり、その横断面は上方側が下方側よりも膨出するように、即ち、中空形状がドア開口部３１から離れる方向に偏位するように形成されている。
【００３３】
そして、嵌合部５１はソリット材の熱可塑性樹脂で形成され、発光部５３は発光材を添加した同様のソリット材の熱可塑性樹脂で形成され、シール部５２はスポンジ材の熱可塑性樹脂で形成されている。つまり、ドアインナーウエザーストリップ３２は、ソリット材の熱可塑性樹脂、蓄光材を添加した同様のソリット材の熱可塑性樹脂及びスポンジ材の熱可塑性樹脂を用いて連続的に３重押出成形して嵌合部５１、発光部５３及びシール部５２を形成されることにより製造されるものである。
【００３４】
従って、本発明のドアウエザーストリップ構造によれば、蓄光材を添加した熱可塑性樹脂からなる発光部４４，５３をドアアウターウエザーストリップ２７及びドアインナーウエザーストリップ３２に部分的に設けることにより、暗所（夜間や暗闇）におけるドア１２の開閉動状況の視認性を向上させることができる。しかも、一般的な車両に設けられるドアウエザー構造に発光部４４，５３を形成させているので、他部品を追加することがなく、重量及びコストの増加を抑えることができる。
【００３５】
ドアアウターウエザーストリップ２７においては、発光部４４をリップ部４３の外側の壁面に設けることにより、シール部４２がルーフパネル３３に接触するシール部分に影響を与えることがないので、シール性を低下させることがない。また、発光部４４がドア１２の閉扉時において変形した場合であっても、発光部４４は常に車両の外方に向き出しになっているので、容易に光エネルギーを吸収・蓄積することができる。更に、発光部４４を開扉動作時において乗員の多くが接触するドアサッシュ２２の車両後方側の角部近傍だけに設けることにより、より強調して乗員にドアサッシュ２２の先端位置を明らかにすることができるので、乗員への危害を防止することができる。
【００３６】
ドアインナーウエザーストリップ３２においては、発光部５３を嵌合部５１とシール部５２との下方側の連結部に設けることにより、シール部５２がドアサッシュ２２の上枠部２５に接触するシール部分に影響を与えることがないので、シール性を低下させることがなく、光エネルギーを吸収・蓄積することができる。また、シール部５２の中空形状をドア開口部３１から離れる方向に偏位して形成させることにより、ドア１２の閉扉時においてシール部５２を発光部５３とは逆方向（上方）に倒れ込ませることができる。これにより、ドア１２の閉扉時において、シール部５２は上方の一方向に変形することになり、発光部５３は常に車両の外側に向くことになるので、ドアガラス２６を通して発光部５３に光が照射され易くなり、光エネルギーを十分に吸収・蓄積することができる。更に、暗所において発光部５３が発光しても、外方への発光となるので、運転の妨げになることはなく、乗員への影響を抑えることができる。
【００３７】
また、従来のゴムで形成されたドアウエザーストリップと違って、ドアアウターウエザーストリップ２７及びドアインナーウエザーストリップ３２は熱可塑性樹脂を用いて形成されているので、リサイクルが可能になると共に軽量化を図ることができる一方、着色をすることができる。これにより、ドアアウターウエザーストリップ２７及びドアインナーウエザーストリップ３２を車室内の内装色と同じ色にすることができるので、見栄えを向上させることができる。更に、見栄えの向上と共に、暗所における発光部４４，５３の発光によりイルミネーション効果を期待することができるので、車両の商品力を向上させることができる。
【００３８】
なお、本実施形態においては、発光部４４をドアアウターウエザーストリップ２７の一部に形成させると共に、発光部５３をドアインナーウエザーストリップ３２の全周に形成したが、発光部４４，５３の長さや設置位置はこれに限定されることはなく、例えば、発光部４４をドアアウターウエザーストリップ２７の全周に形成させると共に、発光部５３をドアインナーウエザーストリップ３２の一部に形成させる等、視認性に応じて適宜変更しても構わない。また、助手席側のドアについて説明したが、例えば、運転席側のドア、後方のドア及びテールゲート等にも本発明に係るドアウエザーストリップ構造を適用することができる。
【産業上の利用可能性】
【００３９】
スライド式のドアに適用可能である。
【図面の簡単な説明】
【００４０】
【図１】本発明の一実施例に係るドアウエザーストリップ構造を備えた車両の斜視図である。
【図２】ドアサッシュの車両後方側角部の拡大図である。
【図３】図１のＡ−Ａ矢視断面図である。
【符号の説明】
【００４１】
１１    車体
１２    ドア
２２    ドアサッシュ
２７    ドアアウターウエザーストリップ
２８    角部ウエザーストリップ
２９    枠状ウエザーストリップ
３１    ドア開口部
３２    ドアインナーウエザーストリップ
４１    取付部
４２，５２    シール部
４３    リップ部
４４，５３    発光部
５１    嵌合部
【図１】
2007210541.tif 000003
【図２】
2007210541.tif 000004
【図３】
2007210541.tif 000005